(57)【要約】【課題】本発明は、組立・分解が容易な組立椅子に関する。【解決手段】座面後方に座面部から延長された２つの後部脚部を有する座面部と、背もたれの下部に前部脚部を設け、かつ背もたれ下端縁の下部に脚挿通口を設けた背もたれ部とからなり、前記座面部の後部脚部を背もたれ部の脚挿通口に挿入して構成された組立・分解が容易な組立椅子。【選択図】    図６
2009195434.tif 000002
【特許請求の範囲】
【請求項１】
（Ａ）座面と座面後部から延長された２つの後部脚部を有する座面部と（Ｂ）背もたれの下部に前部脚部を設け、かつ背もたれ下端縁の下部に後部脚部を挿入する脚挿通口を設けた背もたれ部とからなり、前記座面分の後部脚部を背もたれ部の脚挿通口に挿通して、構成された組立・分解が容易な組立椅子。
【発明の詳細な説明】
【技術分野】
【０００１】
本発明は、組立および分解が容易な組立椅子に関する。
【背景技術】
【０００２】
人間は、古代は、木の切り株や石といった自然の中の椅子に座っており、人間と椅子は古く関わっていた。現代においても椅子は人間の体に触れる部分の多い唯一の家具といえる。そして椅子のデザインは、主に機能性を重視したものと、デザインを重視したものに大別できる。
また椅子を構造物に見ると基本的には、座面、背もたれおよび脚部から構成されている。さらに椅子の形態から大別すると、座面と脚部で構成されるスツール、座面・脚部・背もたれとで構成されるサイドチェア、座面・脚部・背もたれ・肘掛けから構成されるアームチェアに分類される。
【０００３】
そして、これらの椅子は、完成された椅子、ユーザーが購入後自分で組立て固定する椅子、適宜組み立てたり分解できる椅子等の形態によって市販されている。
【発明の開示】
【発明が解決しようとする課題】
【０００４】
本発明者は、椅子の中でも特に組立・分解が容易な椅子に着目したが、現在市販されている組立・分解が可能な椅子は組立部材のパーツが多く、組立や分解が繁雑であるという欠点があった。本発明者は、パーツが少なくかつ組立や分解が容易で、かつ座り心地の良い椅子を完成すべく種々研究を重ねた結果、本発明を完成するに至った。
【発明の効果】
【０００５】
本発明の椅子は、パーツが少ないために、ワンタッチで組立・分解ができ、かつ組立時の椅子は背もたれへのフィット感、座面に座った時の身体の姿勢が楽で、座り心地が極めて良く、座った場合の安定性にも優れている。                                                                                                                                                                                                                                                                                                                                                                                                                                                                                                                                                                                                                                                                                                                                                                                                                                                                                                                                                                                                                                                                                                                                                  
【発明を実施するための最良の形態】
【０００６】
次に発明を図面を参照しながら説明するが、本発明は以下の説明のみに限定されるものではない。
図１は座面部の平面図であり、１は座面、２は後部脚部を示す。図１では座面１の形状は半小判状の場合を示したが、例えば、半円状、四角形等の種々の形状のものが採用できる。座面１の後部には座面から延びた２つの後部脚部が設けられている。図１においては後部脚部２は平行に設けられているが、他の態様として座面１から八の字状に広がるように後部脚部２を設けることによって座った時の椅子の安定性が向上する。
また座面１の後部両側縁部に立ち上がる際に手を付けるような膨らみ部３を設けたり、また座面１の前部の裏面部に手が掛けられるような溝状の凹部または棒状の凸部４を設けることが好ましい。勿論両者を同時に設けることもできる。
【０００７】
図３は背もたれ部の平面図であり、５は背もたれ、６は前部脚部、７は脚部、８は後部脚部２を挿通する脚挿通口、９は背もたれ５の裏面側の脚挿通口８の上部に設けられた、後部脚部２を支持するための支持部を示し、１０は背もたれ５に座った時に背中がフィットするように設けられた湾曲した凹部を示す。
前部脚部６の床面と接する面はフラットでもよく、また図３に示すように２つの脚部７を設けるようにしてもよい。
背もたれ部における背もたれ５と前部脚部６とは同一平面に位置しても良いが、図４に示すよう前部脚部６が背もたれ５の裏面に付随するような状態で設けられていることが好ましい。
そしてこの背もたれ部は強度等の観点から一体成型されていることが好ましい。背もたれ部の前部脚部６には背もたれ５の下端縁１１に位置するところに脚挿通口８の上部が位置するように脚部挿通口８を設ける。２つの脚挿通口８の間隔は座面部の後部脚部２が挿入できる幅で設ければ良い。
【０００８】
背もたれ５の裏面の脚挿通口８の上縁部に、後部脚部２を支持するための凸状の支持部９を設ける。また背もたれ５には組立椅子に座った時に背中が背もたれにフィットし易いように湾曲した凹部１０を設けることが好ましい。また背もたれ部の高さは、組み立てた椅子に成人が座った場合にほぼ肩の高さに背もたれ部の上縁部があればゆったりと座ることができるが、長時間座っていても疲れないためには成人が座った時に背もたれ５に頭を当てられる高さ（長さ）にすることが好ましい。
【０００９】
図６は背もたれ部の脚挿通口８に座面部の後部脚部２を挿入して組立椅子とした時の側面図である。
また組立椅子とした場合に、座面１と背もたれ５との角度αは１１０〜１３０°、好ましくは、１１５〜１２５°、さらに好ましくは１２０°とすると最適である。この角度が１１０°より小さいとお尻に体重がかかり長時間座っているとお尻が痛くなり、また１３０°より大きくなると目線が上向きになり、テレビ等を見る場合に意識的に目線を下に向けなくてはならないので疲れてしまい長時間座っていることが困難になる。
【００１０】
この座面１と背もたれ５の角度の調整は、例えば後部脚部２の厚み、後部脚部２の長さ、脚挿通口８の高さ（縦方向）等を適宜選択する事によって決定できるが、他の方法として脚挿通口８の高さ（縦方向）を後部脚部２の厚さの１．５〜２．０倍にし、図７に示すような後部脚部２と同じ形状で種々の肉厚の筒状体１２を用意し、これを後部脚部２の支持部９に当る部分に挿入する事によって角度を変えることができる。この筒状体１２の素材としては、ゴム、合成樹脂、金属等種々のものが使用できる。
【００１１】
また本発明の組立・分解可能な椅子の素材としては、木材、金属、合成樹脂等種々のものが使用できるが、大量生産、製品コストの面からは合成樹脂が好ましい。
【００１２】
例えば、この組立椅子を室内の床や畳等で使用する場合、図６に示すような、脚部７または後部脚部２が床面や畳面と接する部分に保護体１３を設けることによって、脚部７または後部脚部２が床面や畳面で滑らないようにでき、座るときまたは立ち上がるときの安定性が向上する。また、保護体１３は、脚部7または後部脚部２が床面や畳面を傷けることを防止する効果がある。保護体１３は、図８に示すような、後部脚部２および脚部７と同じ幅の凹部１４を設ける。
この保護体１３の素材としては、ゴム、合成樹脂、木材等種々のものが使用できる。
【００１３】
この保護体１３のほかの形態として、シート状体を使用することが出来る。このシート状体は、表面に複数の凸部または／および凹部を有したものもが良い。このシート状体は、後部脚部２と脚部７を別々に２つのシート状体を敷いても良いが、後部脚部２と脚部７を１つのシート状体で敷くことが好ましい。
このシート状体の素材としては、ゴム、合成樹脂等種々のものが使用できる。このシート状体は、座面１および湾曲した凹部１０に使用すると、体と組立椅子のずれ防止効果および体の指圧効果が得られる。
【図面の簡単な説明】
【００１４】
【図１】座面部の平面図
【図２】他の形態の座面部の平面図
【図３】背もたれ部の平面図
【図４】背もたれ部の側面図
【図５】図３のＡ−Ａ断面図
【図６】本発明の組立てた状態の椅子の側面図
【図７】筒状体の斜視図
【図８】保護体の斜視図
【符号の説明】
【００１５】
１・・・座面
２・・・後部脚部
５・・・背もたれ
６・・・前部脚部
７・・・脚部
８・・・脚挿通口
９・・・支持部
【図１】
2009195434.tif 000003
【図２】
2009195434.tif 000004
【図３】
2009195434.tif 000005
【図４】
2009195434.tif 000006
【図５】
2009195434.tif 000007
【図６】
2009195434.tif 000008
【図７】
2009195434.tif 000009
【図８】
2009195434.tif 000010